(57)【要約】　　　（修正有）【課題】既に取得した膨大な情報から総括的に且つ簡単に検索可能な情報検索方法および情報検索装置を提供する。【解決手段】インターネット等に接続可能な端末装置であり、インターネット等から取得、または自ら入力した様々な情報、もしくはそれら情報の保存場所が蓄積された端末装置において、検索条件の入力、検索結果の表示を行うユーザインタフェース工程１と、情報の検索を行う情報検索工程２と、検索情報を管理している情報管理工程３を有する端末装置を用いることにより、簡単な条件入力により必要な情報を検索して取得し、表示できるようにしたものである。【選択図】　図１
2004145586.tif 000002
【特許請求の範囲】
【請求項１】
情報および前記情報の保存場所を蓄積する情報蓄積手段に対して、検索条件を入力し検索結果を表示するユーザインタフェース工程と、前記検索条件に基づき情報検索を行う情報検索工程と、前記検索情報を管理する情報管理工程とを有することを特徴とする情報検索方法。
【請求項２】
前記ユーザインタフェース工程は、キーワードに関係するキーワードリストを単独および複数のいずれかの組み合わせで有し、前記キーワードリスト内のキーワードも検索条件とすることを特徴とする請求項１記載の情報検索方法。
【請求項３】
前記ユーザインタフェース工程は、キーワードに関係するキーワードリストが学習により最適化されることを特徴とする請求項１または２記載の情報検索方法。
【請求項４】
画像データを検索できることを特徴とする請求項１ないし３のいずれかに記載の情報検索方法。
【請求項５】
音データを検索できることを特徴とする請求項１ないし４のいずれかに記載の情報検索方法。
【請求項６】
検索対象の文の意味解析を行い、キーワードの意味的な検索を行うことを特徴とする請求項１ないし５のいずれかに記載の情報検索方法。
【請求項７】
パターンマッチングを用いた検索を行うことを特徴とする請求項１ないし６のいずれかに記載の情報検索方法。
【請求項８】
前記情報蓄積手段に指定した検索条件に対応する情報がなかった場合には、予め指定したインターネットの情報検索サイトに対して検索することを特徴とする請求項１ないし７のいずれかに記載の情報検索方法。
【請求項９】
情報あるいは情報の保存場所を前記情報蓄積手段に蓄積する場合、ユーザにキーワードを問い合わせ、前記ユーザが入力した前記キーワードを検索情報として保管することを特徴とする請求項１ないし８のいずれかに記載の情報検索方法。
【請求項１０】
情報あるいは情報の保存場所を前記情報蓄積手段に蓄積する場合、テキストデータの構文解析を行うことによりキーワードを自動抽出し、自動抽出した前記キーワードを保管することを特徴とする請求項１ないし９のいずれかに記載の情報検索方法。
【請求項１１】
情報あるいは情報の保存場所を前記情報蓄積手段に蓄積する場合、テキストデータの意味解析を行うことによりキーワードを自動抽出し、自動抽出した前記キーワードを保管することを特徴とする請求項１ないし１０のいずれかに記載の情報検索方法。
【請求項１２】
情報あるいは情報の保存場所を前記情報蓄積手段に蓄積する場合、予め指定した画像データとパターンマッチングを行うことにより前記画像データに添付されているキーワードを自動抽出し、自動抽出した前記キーワードを保管することを特徴とする請求項１ないし１１のいずれかに記載の情報検索方法。
【請求項１３】
情報あるいは情報の保存場所を前記情報蓄積手段に蓄積する場合、予め指定した音データとパターンマッチングを行うことにより前記音データに添付されているキーワードを自動抽出し、自動抽出した前記キーワードを保管することを特徴とする請求項１ないし１２のいずれかに記載の情報検索方法。
【請求項１４】
情報あるいは情報の保存場所を前記情報蓄積手段に蓄積する場合、画像データのカテゴリ分析を行うことにより代表パターンを自動抽出し、自動抽出した前記代表パターンを保管することを特徴とする請求項１ないし１３のいずれかに記載の情報検索方法。
【請求項１５】
情報あるいは情報の保存場所を前記情報蓄積手段に蓄積する場合、音データのカテゴリ分析を行うことにより代表パターンを自動抽出し、自動抽出した前記代表パターンを保管することを特徴とする請求項１ないし１４のいずれかに記載の情報検索方法。
【請求項１６】
日時を表すキーワードで検索を行い、カレンダーおよび日程表のいずれかから、検索した情報にアクセスすることを特徴とする請求項１ないし１５のいずれかに記載の情報検索方法。
【請求項１７】
個人情報を表すキーワードで検索を行い、人名および個人の所属のいずれかから、検索した情報にアクセスすることを特徴とする請求項１ないし１６のいずれかに記載の情報検索方法。
【請求項１８】
請求項１ないし１７のいずれかに記載の情報検索方法における各工程を実現することを特徴とする情報検索装置。
【請求項１９】
請求項１ないし１７のいずれかに記載の情報検索方法における各工程を実現することを特徴とする携帯電話。
【発明の詳細な説明】
【０００１】
【発明の属する技術分野】
本発明は、端末装置などにおいて、インターネットに接続され複数の情報源から得られた情報を検索可能な情報検索装置および情報検索方法に関する。
【０００２】
【従来の技術】
従来、インターネット上には、様々な情報検索サイトが存在し、インターネットを介してアクセス可能な無数の情報の中から、ユーザが必要な情報の検索を行うための手段がすでに用意されている。ユーザは、このような検索サイトを利用して探し当てた情報を自分の端末へ保存したり、情報の保存場所を示すＵＲＬ（アドレス）を自分の端末に記録しておくことにより、再度必要になったときには、その情報を容易に確認することが可能である。
【０００３】
また、情報端末内に存在する様々な情報は、メモソフト、ワープロソフト、ペイントソフトのようなアプリケーションを用いて、テキストや画像データとしてユーザ自らによって記憶され、もしくはユーザ自らが送ったメールとして記録され、また他人からのメールの内容として保管される。さらに、スケジュールやアドレス帳へ入力して保存されている情報もある。
【０００４】
これら端末内に保管されている様々な形態の情報は、端末に内蔵するソフトウェアによっては、うまく連携が取られているものもある。例えば、ある著名なワープロソフトや表計算ソフトでは、ハイパーリンクにより様々な情報への接続をワープロ文書内や表の中に埋め込むことができ、それら多くの情報を相互に利用することが可能である。
【０００５】
さらに、公開公報に開示されている方法としては、受信した電子メールの本文から抽出した情報を自動的に端末の個人情報データベースに登録するという特徴を有し、スケジュール、ＴｏＤｏ情報、キーワード、サマリを電子メール本文と接続して利用することができる方法がある（例えば、特許文献１参照）。
【０００６】
【特許文献１】
特開平１１−１３６２７８号広報（第３頁、段落〔０００９〕および〔００１０〕、行数１１）
【０００７】
【発明が解決しようとする課題】
しかしながら、上記特開平１１−１３６２７８号広報に開示されているように、端末の個人情報データベースに記録および登録すべき情報は日増しに増大しており、その中に保管されている様々な形態の情報、例えば、インターネット等の外部から取得した情報、自ら入力した情報、メールやインターネット検索結果など外部から取得済みの情報などは、膨大な量となっている。実際に、インターネットの情報検索サイトで検索を行い一度取得した情報でも、保存されているその他の大量の情報に埋もれてしまい、結局は再度インターネットの情報検索サイトで検索し直す場合が多いという問題があった。
【０００８】
本発明は、上記従来の問題を解決するためになされたもので、既に取得した膨大な情報から総括的に且つ簡単に検索可能な情報検索方法および情報検索装置を提供するものである。
【０００９】
【課題を解決するための手段】
本発明における情報検索方法は、情報および前記情報の保存場所を蓄積する情報蓄積手段にたいして、検索条件を入力し検索結果を表示するユーザインタフェース工程と、前記検索条件に基づき情報検索を行う情報検索工程と、前記検索情報を管理する情報管理工程とを有するという構成を有している。この構成により、ユーザは整理することなく保存した様々な形態の情報から、必要な情報を探し出し、画面上に表示、あるいはスピーカーなどの出力デバイスで確認することが可能となる。
【００１０】
本発明における情報検索方法は、ユーザインタフェース工程は、キーワードに関係するキーワードリストを単独および複数のいずれかの組み合わせで有し、前記キーワードリスト内のキーワードも検索条件とするという構成を有している。この構成により、少ないキーワードを検索条件としても幅広い検索を行うことが出来ることとなる。また、複数のキーワードリストの組み合わせは、例えば類似語リスト、連想リスト、誤字リストなどを用意しておくことにより、それぞれのリストの特徴に応じた検索を行うことが出来ることとなる。さらに、複数のキーワードを指定されたときには、それぞれのキーワードリスト間の共通項目による検索や、全項目による検索などよりバラエティのある検索を行うことが出来ることとなる。
【００１１】
本発明における情報検索方法は、ユーザインタフェース工程では、キーワードに関係するキーワードリストが学習により最適化されるという構成を有している。この構成により、ユーザの思考モデルに合ったキーワードリストをカスタマイズすることが可能となり、よりユーザが必要な検索結果を得ることが出来ることとなる。
【００１２】
本発明における情報検索方法は、画像データを検索できるという構成を有している。この構成により、キーワードではなく画像データによる検索を行うことが出来ることとなる。
【００１３】
本発明における情報検索方法は、音データを検索できるという構成を有している。この構成により、キーワードではなく音データによる検索を行うことが出来ることとなる。
【００１４】
本発明における情報検索方法は、検索対象の文の意味解析を行い、キーワードの意味的な検索を行うという構成を有している。この構成により、単なるキーワードの一致による検索ではなく、キーワードが文の中で主題として扱われている情報を優先的に検索するなどが可能となり、よりユーザが希望する情報を素早く検索することが出来ることとなる。
【００１５】
本発明における情報検索方法は、パターンマッチングを用いた検索を行うという構成を有している。この構成により、キーワード、画像データ、音データを全てビットパターンとみなし、保存するデータとのパターンマッチングを行うことにより、どのような種類の情報も検索することが可能となる。
【００１６】
本発明における情報検索方法は、前記情報蓄積手段に指定した検索条件に対応する情報がなかった場合には、予め指定したインターネットの情報検索サイトに対して検索するという構成を有している。この構成により、ユーザは端末内とインターネットを意識することなく、情報検索を行うこととなる。
【００１７】
本発明における情報検索方法は、情報あるいは情報の保存場所を前記情報蓄積手段に蓄積する場合、ユーザにキーワードを問い合わせ、前記ユーザが入力した前記キーワードを検索情報として保管するという構成を有している。この構成により、ユーザの操作は煩雑になるが、ユーザの意図を正確に反映したキーワードを、情報に付加することが出来るために、検索の精度が高くなる。また、文を含まない画像データや音データに対してもユーザの意図する通りのキーワードを付加することが出来、画像データや音データもキーワードで検索が可能となる。
【００１８】
本発明における情報検索方法は、情報あるいは情報の保存場所を前記情報蓄積手段に蓄積する場合、テキストデータの構文解析を行うことによりキーワードを自動抽出し、自動抽出した前記キーワードを保管するという構成を有している。この構成により、ユーザは繁雑なキーワード入力を行なう必要がなく、また、予めキーワードを切り出すことより、検索時に構文解析を行なう場合に比べて、検索速度の向上につながることとなる。
【００１９】
本発明における情報検索方法は、情報あるいは情報の保存場所を前記情報蓄積手段に蓄積する場合、テキストデータの意味解析を行うことによりキーワードを自動抽出し、自動抽出した前記キーワードを保管するという構成を有している。この構成により、ユーザは繁雑なキーワード入力を行なう必要がなく、また、予めキーワードを切り出すことより、検索時に意味解析を行なう場合に比べて、検索速度の向上につながることとなる。
【００２０】
本発明における情報検索方法は、情報あるいは情報の保存場所を前記情報蓄積手段に蓄積する場合、予め指定した画像データとパターンマッチングを行うことにより前記画像データに添付されているキーワードを自動抽出し、自動抽出した前記キーワードを保管するという構成を有している。この構成により、ユーザが予め分類してキーワードを付けたパターンに、画像データを分類することが出来、しかもこれらの画像データをキーワードで検索するこが可能となる。
【００２１】
本発明における情報検索方法は、情報あるいは情報の保存場所を前記情報蓄積手段に蓄積する場合、予め指定した音データとパターンマッチングを行うことにより前記音データに添付されているキーワードを自動抽出し、自動抽出した前記キーワードを保管するという構成を有している。この構成により、ユーザが予め分類しキーワードを付けたパターンに、音データを分類することが出来、しかもこれらの音データをキーワードで検索するこが可能となる。
【００２２】
本発明における情報検索方法は、情報あるいは情報の保存場所を前記情報蓄積手段に蓄積する場合、画像データのカテゴリ分析を行うことにより代表パターンを自動抽出し、自動抽出した前記代表パターンを保管するという構成を有している。この構成により、ユーザの指定したカテゴリ数に、画像データを分類することが出来、さらに検索時にカテゴリ代表パターンとのパターンマッチングを行なうことにより、高速な画像データの検索が可能となる。
【００２３】
本発明における情報検索方法は、情報あるいは情報の保存場所を前記情報蓄積手段に蓄積する場合、音データのカテゴリ分析を行うことにより代表パターンを自動抽出し、自動抽出した前記代表パターンを保管するという構成を有している。この構成により、ユーザの指定したカテゴリ数に、音データを分類することが出来、さらに検索時にカテゴリ代表パターンとのパターンマッチングを行なうことにより、高速な音データの検索が可能となる。
【００２４】
本発明における情報検索方法は、日時を表すキーワードで検索を行い、カレンダーおよび日程表のいずれかから、検索した情報にアクセスするという構成を有している。この構成により、ユーザはわざわざ予定表ソフトに予定を入力することなく、例えば、予定を示すメールを受けとるなり、メモを自分で入力することにより、これらの情報の検索によって、予定表が自動的に出来上がることとなる。
【００２５】
本発明における情報検索方法は、個人情報を表すキーワードで検索を行い、人名および個人の所属のいずれかから、検索した情報にアクセスするという構成を有している。この構成により、ユーザはわざわざ住所録ソフトに個人情報を入力することなく、例えば個人情報を示すメールを受けとるなり、メモを自分で入力することにより、これらの情報の検索によって、住所録が自動的に出来上がることとなる。
【００２６】
本発明における情報検索装置は、請求項１ないし１７のいずれかに記載の情報検索方法における各工程を実現するという構成を有している。この構成により、ユーザは整理することなく保存した様々な形態の情報から、必要な情報を探し出し、画面上に表示、あるいはスピーカーなどの出力デバイスで確認することが可能となる。
【００２７】
本発明における携帯電話は、請求項１ないし１７のいずれかに記載の情報検索方法における各工程を実現するという構成を有している。この構成により、ユーザは整理することなく保存した様々な形態の情報から、必要な情報を探し出し、画面上に表示、あるいはスピーカーなどの出力デバイスで確認することが可能となる。
【００２８】
【発明の実施の形態】
以下、添付図面に基づき、本発明の一実施の形態について詳細に説明する。
まず、図１を参照して、本発明の一実施の形態における情報検索方法の構成を説明する。図１に示す、インターネット等に接続された情報検索装置に実装される情報検索方法は、例えば、インターネット等から取得し、または自ら入力した様々な情報、およびそれら情報の保存場所（原保存場所）がデータベース４に蓄積された情報端末装置において、検索条件の入力、検索結果の表示を行うユーザインタフェース工程１と、情報の検索を行う情報検索工程２と、検索情報を管理する情報管理工程３とを有し、情報検索工程と情報管理工程により、キーワード、パターン、情報等が蓄積されたデータベース４に対しアクセスするという構成を有する。
【００２９】
次に、図１ないし図４を参照して、本発明の一実施の形態における情報検索方法について説明する。本実施の形態の説明では、本発明の実施の形態のいくつかを同時に実施した場合について説明するが、分岐条件等で分割できる実施の形態は、それぞれ単独で、もしくはいくつかを組み合わせて用いることにより、各実施の形態について発明の効果を得ることが出来る。
【００３０】
次に、図２のフローチャートを参照して、本発明の一実施の形態におけるユーザインターフェース工程の処理について説明する。本工程においては、検索条件入力ステップにおいてユーザに検索条件を入力してもらうが（ステップＳ１１）、検索条件は一般的なキーワードと検索式の他に、キーワードに対応するもの、例えば、ペイントソフト等によってユーザが描画した画像データ、作曲ソフトによる音符データ、マイクにより録音されたＰＣＭデータ等でも良い。画像データと音データは、全て入力形式に依存せず、内部の共通フォーマットに変換される。例えば、画像データはビットマップデータへ、音データはＰＣＭデータへ変換される。次に、検索実施の処理に進み検索工程の呼び出しを行なう（ステップＳ１２）。その検索結果によって検索結果ありか否かの条件分岐が働き（ステップＳ１３）、もし検索結果がある場合には、検索結果表示において検索結果をユーザに表示する（ステップＳ１４）。この検索結果はリスト形式やアイコン形式など様々な形式で表示することが出来る。すなわち、ユーザは、リストやアイコンにアクセスすることにより、情報を画面上で確認したり、スピーカー等で音を確認したりすることが出来る。
【００３１】
次に、学習機能ありか否かの条件分岐において（ステップＳ１５）、学習機能ありに遷移した場合、学習処理が実施される（ステップＳ１６）。これは、キーワードに関係するキーワードリストが存在する場合に、キーワードリストの質を向上させたり、キーワードリストのキーワードを追加または削除して、最適化を行なうものである。その方法としては、検索結果からユーザが希望したものを教示してもらい、その情報を示したキーワードの得点を上げて、キーワードの重み付けを変更させたり、あるキーワードによる検索結果に希望の情報がない場合には、引続き入力したキーワードで希望の情報が見つかった場合は、連続して入力したキーワードをそれぞれのキーワードーリストに追加させたり、希望の情報が規定回数ヒットしないキーワードはキーワードリストから削除するなどの方法が考えられる。これにより、繰り返し使用しているうちに、ユーザに適したキーワードリストが出来上がることになる。そして、それらキーワードリスト内のキーワードを検索条件とすることができる。最後に検索終了の条件分岐において、繰り返し検索を行なうか否かを決定する（ステップＳ１７）。
【００３２】
なお、ユーザインタフェース工程では、キーワードに関係するキーワードリストを単独、もしくは複数の組み合わせで有し、キーワードリスト内のキーワードも検索条件とすることができる。また、複数のキーワードリストの組み合わせは、例えば類似語リスト、連想リスト、誤字リストなどを用意しておくことにより、それぞれのリストの特徴に応じた検索を行うことが出来る。さらに、複数のキーワードが指定されたときには、それぞれのキーワードリスト間の共通項目による検索や、全項目による検索などよりバラエティのある検索を行うことが可能である。
【００３３】
以上説明したように、ユーザインターフェース工程においては、キーワード以外の画像データや音データを検索条件として入力できることにより、テキストを含まない情報を直観的に検索できるという効果が得られる。また、継続的に使用して学習機能を利用することにより、ユーザの思考モデルに合った検索が可能となる。
【００３４】
次に、図３のフローチャートを参照して、本発明の一実施の形態における情報検索工程の処理について説明する。本工程においては、まず、検索対象の前処理が必要か否かの条件分岐において（ステップＳ２１）、予めキーワードやパターン等が計算されていない時には前処理を行なう必要がある。前処理では、検索対象の情報に応じて、構文解析、意味解析、パターン処理、カテゴリ分析などを行ない（ステップＳ２２）、キーワードやパターンを抽出する。ここで、構文解析は、自然言語の文を主語、述語、目的語などに分類することを指しており、現在一般的に行なわれている方法を用いて良い。また、意味解析は、文章から文章の内容を示す単語や、文を導出することを指しており、繰り返し主語となっている単語や、接続詞を解釈して、結論を示す文を抽出するなどの方法を使う。パターン処理は、検索条件として入力されたパターンと比較できるように、縮小拡大を行なったり、画像データの場合は増色、減色を、音データの場合は、ノイズ除去等を行なうことを指している。また、カテゴリ分析は、予め決められた数のカテゴリに分類して、代表パターンを抽出することを指しており、ニューラルネット等を使って行なわれる。
【００３５】
次に検索はパターンマッチングか否かの条件分岐により行なわれ（ステップＳ２３）、パターンマッチングによる検索を行なう場合は、パターンマッチングを実施する。この場合は、予め決められた一致度よりも高いものを検索結果としてリストアップする（ステップＳ２４）。一致度は、ビットパターンとしての一致ビット数の割合等を用いる。検索がキーワード、パターンとの完全一致を要求する場合には、完全一致の処理において、完全に一致したものだけを検索結果とする（ステップＳ２５）。次に、検索結果がない場合に、検索結果なしか否かの条件分岐を経て（ステップＳ２６）、検索結果がない場合には、インターネット検索を行なう（ステップＳ２７）。検索先の検索サイトは予め設定されている。最後に検索終了か否かの条件分岐により、検索対象がある場合には、繰り返し本工程を実施する（ステップＳ２８）。
【００３６】
なお、情報検索工程において、日時を表すキーワードで検索を行い、カレンダー、あるいは日程表から、検索した情報にアクセスすることにより、ユーザはわざわざ予定表ソフトに予定を入力することなく、例えば予定を示すメールを受けとるなり、メモを自分で入力することにより、これらの情報の検索によって、予定表が自動的に出来上がることとなる。
また、個人情報を表すキーワードで検索を行い、人名、あるいは個人の所属先から、検索した情報にアクセスすることにより、ユーザはわざわざ住所録ソフトに個人情報を入力することなく、例えば個人情報を示すメールを受けとるなり、メモを自分で入力することにより、これらの情報の検索によって、住所録が自動的に出来上がることとなる。
【００３７】
以上説明したように、情報検索工程においては、検索毎に自動的に前処理を行なうことにより、ユーザにより予めキーワードやパターンの抽出を行なうという煩わしさを軽減し、キーワードやパターンを保持しておくための記憶領域が必要ないという効果が得られる。また、パターンマッチングを行なうことにより、類似したものを検索することが可能となり、より多くの検索結果を取得する効果を得られる。さらに、検索結果がない時に、インターネット検索を行なうことにより、端末内のローカルな情報とインターネット上のグローバルな情報をシームレスにアクセスする効果が得られる。
【００３８】
次に、図４のフローチャートを参照して、本発明の一実施の形態における情報管理工程の処理について説明する。本工程においては、まず、情報を保存する場合に、キーワードをユーザに問い合わせるユーザ問い合わせの条件分岐において（ステップＳ３１）、ユーザによるキーワードの設定を確認し、キーワードのユーザ問い合わせが選択された場合には、情報を画面、スピーカー等で指示し、ユーザにキーワードの入力を促す（ステップＳ３２）。入力されたキーワードは、情報に付随するものとして、情報と共にデータベース上に格納される。テキストからキーワードを自動抽出するか否かの条件分岐において、キーワードの自動抽出を設定したかどうかを確認し（ステップＳ３３）、キーワード自動抽出が選択されていた場合には、構文解析意味解析により、テキスト文章の構文解析および意味解析が行なわれる（ステップＳ３４）。構文解析および意味解析の結果抽出されたキーワードは、情報に付随するものとして情報と共にデータベース上に格納される。
【００３９】
パターンからキーワードを自動抽出するか否かの条件分岐においてその設定を確認し（ステップＳ３５）、キーワード自動抽出が選択されている場合には、パターンマッチングにより、予めキーワードと共に設定されたパターンとのパターンマッチングが行なわれる（ステップＳ３６）。パターンマッチングの結果、一致度が予め設定されている一致度以上の場合には、そのパターンに設定されているキーワードが、情報に付随するものとして、情報と共にデータベース上に格納される。どの条件分岐にも当てはまらない場合には、カテゴリ分析により、パターンのカテゴリ分析が行なわれる（ステップＳ３７）。カテゴリ分析の結果抽出された代表パターンは、情報に付随するものとして、情報と共にデータベース上に格納される。
【００４０】
以上説明したように、情報管理工程においては、事前にキーワード、パターンを抽出することにより高速な検索という効果が得られる。また、キーワードをユーザに問い合わせることにより、ユーザの意図した通りのキーワードを情報に付加することが出来るため、ユーザの思考モデルに合った検索結果を取得することができる。また、構文解析および意味解析により自動的にキーワードを抽出することにより、ユーザは単に情報を格納するだけで自動的にキーワードを付加することができるために、情報管理を簡便にするという効果が得られる。また、パターンにキーワードを付けることにより、テキストのない画像データや音データをキーワードで検索できる効果が得られる。さらに、パターンをカテゴリ分析することにより、自動的に画像データや音データを分類したり、代表パターンとのパターンマッチングにより高速な検索を行なうことができる。
【００４１】
【発明の効果】
本発明における情報検索方法及び情報検索装置は、上記のように構成され、特に、検索条件としてキーワード以外の画像データや音データを入力できることにより、検索毎に前処理を行なうことにより、また事前にキーワードやパターンの抽出を行なうことにより、インターネット上で検索した情報、メール等により外部から取得した情報、自ら入力した情報など、膨大な情報の中から、ユーザが繁雑な操作をすることなく、簡単に素早く必要な情報を検索することが可能となる。
【図面の簡単な説明】
【図１】本発明の一実施の形態における情報検索方法の構成を示すブロック図、
【図２】本発明の一実施の形態における情報検索方法のユーザインタフェース工程のフローチャート、
【図３】本発明の一実施の形態における情報検索方法の情報検索工程のフローチャート、
【図４】本発明の一実施の形態における情報検索方法の情報管理工程のフローチャート。
【符号の説明】
１　情報検索方法のユーザインタフェース工程
２　情報検索方法の情報検索工程
３　情報検索方法の情報管理工程
４　データベース
【図１】
2004145586.tif 000003
【図２】
2004145586.tif 000004
【図３】
2004145586.tif 000005
【図４】
2004145586.tif 000006